(57)【要約】【課題】記入者の手つきの有無を確実に判定することができ、描画情報の表示と消去とを正確に行なうことができる入力表示装置を提供する。【解決手段】入力表示装置は、ペン先または指先による第１の入力が記入者により行なわれたときに、記入者の第１の入力を検出した第１検出静電容量センサ群の位置に基づいて、第１描画情報を生成し、表示部の表示領域のうちの、第１検出静電容量センサ群の位置を含む第１記入表示領域に表示する。入力表示装置は、手つきによる第２の入力が記入者により行なわれたときに、記入者の第２の入力から、所定時間内に、ペン先または指先による第３の入力が記入者により行なわれずに、記入者の第２の入力が継続している場合、第１記入表示領域に表示されている第１描画情報のうちの、記入者の第２の入力を検出した第２検出静電容量センサ群の位置を含む消去対象領域に表示された描画情報を消去する。【選択図】図９
2019061728.tif 000002
【特許請求の範囲】
【請求項１】
表示部と、
指示媒体が前記表示部に近接することによる記入者の入力を検出する入力検出部と、
前記指示媒体による前記記入者の入力が、ペン先または前記記入者の指による入力であるか、あるいは前記記入者の手つきによる入力であるか、を判定する判定部と、
前記ペン先または前記入者の指による第１の入力が前記記入者により行なわれた場合、前記第１の入力において前記表示部に対して前記記入者により入力された情報を表す第１描画情報を前記表示部に表示する描画制御部と、
を具備し、
前記手つきによる第２の入力が前記記入者により行なわれ、前記第２の入力から、所定時間内に、前記ペン先または前記指先による第３の入力が前記記入者により行なわれずに、前記第２の入力が継続している場合、
前記描画制御部は、前記第１描画情報のうちの、前記第２の入力における入力位置を含む領域である消去対象領域に表示された消去対象描画情報を消去することを特徴とする入力表示装置。
【請求項２】
前記ペン先または前記指先による第３の入力が前記記入者により前記第２の入力から前記所定時間内に行なわれている場合、
前記描画制御部は、前記第３の入力において前記表示部に対して前記記入者により入力された情報を表す第２描画情報を前記表示部に表示することを特徴とする請求項１に記載の入力表示装置。
【請求項３】
前記手つきによる前記記入者の第２、第３の入力が前記記入者により行われ、前記記入者の第２、第３の入力は連続して行なわれる移動操作である場合、  
前記描画制御部は、前記第１描画情報のうちの、前記第２の入力における入力位置から前記第３の入力における入力位置までの領域である移動操作消去対象領域に表示された移動操作消去対象描画情報を消去することを特徴とする請求項１に記載の入力表示装置。
【請求項４】
前記手つきによる前記記入者の第２、第３の入力が前記記入者により行なわれ、前記記入者の第２、第３の入力は連続して行なわれる前記所定時間毎に行なわれる継続操作である場合、
前記描画制御部は、前記第１描画情報のうちの、前記第２の入力における入力位置を含む領域である第１消去対象領域に表示された第１消去対象描画情報と、前記第３の入力における入力位置を含む領域である第２消去対象領域に表示された第２消去対象描画情報とを消去することを特徴とする請求項１または２に記載の入力表示装置。
【請求項５】
前記判定部が、前記指示媒体による前記記入者の入力が前記記入者の手つきによる入力であると判定した場合、
前記入力位置を含む領域は、前記記入者が手のひら、または、手の甲でタッチしたときの外接矩形領域であることを特徴とする請求項１から４のいずれか一項に記載の入力表示装置。
【請求項６】
前記判定部が、前記指示媒体による前記記入者の入力が前記記入者の手つきによる入力であると判定した場合、
前記入力位置を含む領域は、前記記入者が複数本の指先でタッチしたときの外接矩形領域であることを特徴とする請求項１から４のいずれか一項に記載の入力表示装置。
【請求項７】
前記入力検出部は、
座標を形成するように前記表示部に複数配置された静電容量センサと、前記複数の静電容量センサのうちの、記入者の入力を検出した検出静電容量センサ群の容量値、数、位置を表す情報を出力する容量変化検知部と、を備え、
前記判定部は、
前記検出静電容量センサ群の中に、その容量値が第１設定容量値以上である静電容量センサの数が設定センサ数以上存在する場合、前記記入者の手つきによる入力であると判定し、
前記検出静電容量センサ群の中に、その容量値が前記第１設定容量値以上である静電容量センサの数が前記設定センサ数未満存在する場合、前記記入者の指先による入力であると判定し、
前記検出静電容量センサ群の中に、その容量値が前記第１設定容量値未満であるが、最も大きい容量値が前記第１設定容量値よりも小さい第２設定容量値以上である静電容量センサが存在する場合、前記ペン先による入力であると判定することを特徴とする請求項１から６のいずれか一項に記載の入力表示装置。
【請求項８】
表示部と、指示媒体が前記表示部に近接することによる記入者の入力を検出する入力検出部と、を有する装置を用いた入力表示方法であって、
前記指示媒体が前記表示部に近接することによる前記記入者の入力を検出するステップと、
前記指示媒体による前記記入者の入力が、ペン先または前記記入者の指による入力であるか、あるいは前記記入者の手つきによる入力であるか、を判定するステップと、
前記ペン先または前記入者の指による第１の入力が前記記入者により行なわれた場合、前記第１の入力において前記表示部に対して前記記入者により入力された情報を表す第１描画情報を前記表示部に表示するステップと、
前記手つきによる第２の入力が前記記入者により行なわれ、前記第２の入力から、所定時間内に、前記ペン先または前記指先による第３の入力が前記記入者により行なわれずに、前記第２の入力が継続している場合、前記第１描画情報のうちの、前記第２の入力における入力位置を含む領域である消去対象領域に表示された消去対象描画情報を消去するステップと、
を具備することを特徴とする入力表示方法。
【発明の詳細な説明】
【技術分野】
【０００１】
本発明は、記入者が入力した箇所に描画情報を表示する入力表示装置および入力表示方法に関する。
【背景技術】
【０００２】
近年、教室やオフィスでは、インタラクティブ・ホワイトボード（Interactive Whiteboard）（通称：ＩＷＢ）を含む電子黒板が使用されている。その電子黒板では、記入者（例えば、教室の場合は先生）がペン先または記入者の指先により文字や絵などの描画情報をボードに入力したときに、その入力箇所に描画情報を周囲の視聴者（例えば、教室の場合は生徒）に向けて表示部に表示する。
【０００３】
一方、記入者は、表示部に表示された描画情報を消去したい場合、アプリケーションのメニューから消去する機能を選択して実行することにより、その描画情報を消去することができる。
【０００４】
しかし、記入者がペン先または指先により入力しているときに、その入力の誤りに気付いた場合、その入力により表示部に表示された描画情報を即座に消去したいことがある。この場合でも、記入者は、アプリケーションのメニューから消去する機能を選択する操作が必要となる。そのため、記入者が入力の誤りに対する描画情報を即座に消去したい場合には、記入者への負担が大きい。
【０００５】
特許文献１、２には、ペン先による入力が記入者により行なわれたときに、記入者の入力に対して描画情報を表示部に表示し、指先による入力が記入者により行なわれたときに、表示部に表示された描画情報を消去する技術が開示されている。
【０００６】
特許文献１に記載されたタッチパネル入力装置は、記入者が操作子を接触するための表示部と、表示部に対する操作子の接触を接触情報として検出するセンサ部と、センサ部からの接触情報に基づいて、表示部に対する操作子の接触面積を取得するセンサ情報取得部と、操作子の接触面積が閾値以下であるか否かを判定する操作子識別部と、操作子識別部の判定結果に基づいて、表示部に対する動作モードを、操作子としてペンが表示部に接触した描画モード、または、操作子として記入者の指が表示部に接触した消去モードに切り替える操作子処理部と、を具備している。操作子処理部は、判定結果として操作子の接触面積が閾値以下である場合、動作モードを描画モードに設定し、描画モードにおいて、記入者がペンにより入力した接触情報を描画情報として表示部に表示する第１操作子処理部と、判定結果として操作子の接触面積が閾値以下ではない場合、動作モードを消去モードに設定し、消去モードにおいて、記入者が指により入力した接触情報に基づいて描画情報を消去する第２操作子処理部と、を具備している。第２操作子処理部は、消去モードにおいて、表示部に対する記入者の指の接触位置に消しゴムを表示する拡張処理部を具備している。
【０００７】
特許文献２に記載された表示装置は、情報を表示する表示部と、表示部上で電子ペンが接触または近接した際の位置を取得するペン位置取得部と、ペン位置取得部で取得した電子ペンの接触位置の軌跡を、表示部に表示する表示制御部と、ユーザによる表示部上のタッチ位置を検知するタッチ検知部と、取得した電子ペンの近接位置を基準位置とし、タッチ検知部でタッチ位置を検知した際に、検知したタッチ位置が、基準位置から所定範囲内にある時は、検知したタッチ位置上のペン入力による表示の消去処理を行ない、所定範囲から外にある時は、ペン入力による表示の消去処理とは異なる処理を実行する制御部と、を備えている。電子ペンは、光を照射するＬＥＤ（Light Emitting Diode）と、その反射光により電子ペンがドットパターン付きフィルムに接触した際のペン先に位置するフィルムのドットパターンを読み取る画像センサと、画像センサから取得したドットパターンを含む画像データを解析し、ペン先の接触位置の位置情報を生成する画像処理部とを備えている。ペン入力による表示において、上記位置情報が、上記電子ペンの接触位置の軌跡として、表示部に表示される。特許文献２に記載された表示装置は、更に、タッチ検出用センサを備えている。ペン入力による表示の消去処理において、タッチ検知部は、表示部上のタッチ検出用センサに対して電圧制御を行ない、電圧の変化を監視することにより、表示部に対する指等の接触を検出する。制御部は、指等が基準位置から所定範囲内にある時は、ペン入力による表示の消去処理を行なう。
【先行技術文献】
【特許文献】
【０００８】
【特許文献１】特開２０１２−２５２６５２号公報
【特許文献２】国際公開第２０１４／４９６７１号
【発明の概要】
【発明が解決しようとする課題】
【０００９】
特許文献１に記載された技術では、上述のように、表示部に対して操作子が接触したときに、操作子の接触面積が閾値以下ではない場合、記入者が指により入力した接触情報に基づいて描画情報を消去する。しかしながら、手つきのような意図しない入力があった場合でも、操作子の接触面積が閾値以下ではないため、記入者が手つきにより入力した接触情報に基づいて、描画情報が消去されてしまうことになる。すなわち、特許文献１に記載された技術では、手つきのような意図しない入力があった場合でも、描画情報が消去されてしまう。ここで、手つきとは、表示部に対して手の腹などが触れる現象である。
【００１０】
また、特許文献２に記載された技術では、上述のように、表示部に対して指等がタッチしたときに、表示部上のタッチ検出用センサに対して電圧の変化が生じた場合、記入者が指等によりタッチした領域に基づいて、ペン入力による表示の消去を行なう（描画情報を消去する）。しかしながら、手つきのような意図しない入力があった場合でも、表示部上のタッチ検出用センサに対して電圧の変化が生じるため、記入者が手つきによりタッチした領域に基づいて、描画情報が消去されてしまうことになる。すなわち、特許文献２に記載された技術では、手つきのような意図しない入力があった場合でも、描画情報が消去されてしまう。
【００１１】
本発明は、上記従来の問題点に鑑みてなされたものであって、記入者の手つきの有無を確実に判定することができ、描画情報の表示と消去とを正確に行なうことができる入力表示装置および入力表示方法を提供することを目的とする。
【課題を解決するための手段】
【００１２】
本発明の入力表示装置は、表示部と、座標を形成するように前記表示部に複数配置された静電容量センサと、前記複数の静電容量センサのうちの、記入者の入力を検出した検出静電容量センサ群の容量値、数、位置を表す情報を出力する容量変化検知部と、前記検出静電容量センサ群の容量値と数とに基づいて、前記検出静電容量センサ群の位置により形成される形状としてペン先、前記記入者の指先、前記記入者の手つきを判定し、前記検出静電容量センサ群に対する判定結果を出力する形状判定部と、前記判定結果として前記ペン先または前記指先による第１の入力が前記記入者により行なわれ、前記記入者の第１の入力を検出した前記検出静電容量センサ群を第１検出静電容量センサ群とした場合、前記第１検出静電容量センサ群の位置に基づいて、前記表示部に対して前記記入者により入力された情報を表す第１描画情報を生成し、前記表示部の表示領域のうちの、前記第１検出静電容量センサ群の位置を含む領域である第１記入表示領域に表示する描画制御部と、を具備し、前記判定結果として前記手つきによる第２の入力が前記記入者により行なわれ、前記記入者の第２の入力を検出した前記検出静電容量センサ群を第２検出静電容量センサ群としたときに、前記手つきによる前記記入者の第２の入力から、所定時間内に、前記ペン先または前記指先による第３の入力が前記記入者により行なわれずに、前記判定結果として前記手つきによる前記記入者の第２の入力が継続している場合、前記描画制御部は、前記第１記入表示領域に表示されている前記第１描画情報のうちの、前記第２検出静電容量センサ群の位置を含む領域である消去対象領域に表示された消去対象描画情報を消去することを特徴とする。
【００１３】
本発明の入力表示方法は、表示部と、座標を形成するように前記表示部に複数配置された静電容量センサと、を有する装置を用いた入力表示方法であって、前記複数の静電容量センサのうちの、記入者の入力を検出した検出静電容量センサ群の容量値、数、位置を表す情報を出力するステップと、前記検出静電容量センサ群の容量値と数とに基づいて、前記検出静電容量センサ群の位置により形成される形状としてペン先、前記記入者の指先、前記記入者の手つきを判定し、前記検出静電容量センサ群に対する判定結果を出力するステップと、前記判定結果として前記ペン先または前記指先による第１の入力が前記記入者により行なわれ、前記記入者の第１の入力を検出した前記検出静電容量センサ群を第１検出静電容量センサ群とした場合、前記第１検出静電容量センサ群の位置に基づいて、前記表示部に対して前記記入者により入力された情報を表す第１描画情報を生成し、前記表示部の表示領域のうちの、前記第１検出静電容量センサ群の位置を含む領域である第１記入表示領域に表示するステップと、前記判定結果として前記手つきによる第２の入力が前記記入者により行なわれ、前記記入者の第２の入力を検出した前記検出静電容量センサ群を第２検出静電容量センサ群としたときに、前記手つきによる前記記入者の第２の入力から、所定時間内に、前記ペン先または前記指先による第３の入力が前記記入者により行なわれずに、前記判定結果として前記手つきによる前記記入者の第２の入力が継続している場合、前記第１記入表示領域に表示されている前記第１描画情報のうちの、前記第２検出静電容量センサ群の位置を含む領域である消去対象領域に表示された消去対象描画情報を消去するステップと、を具備することを特徴とする。
【発明の効果】
【００１４】
このように、本発明では、ペン先、記入者の指先、記入者の手つきの判定について、静電容量の大きさ（容量値）や、時間を考慮している。特許文献１、２の問題点は、ペン先、記入者の指先、記入者の手つきの判定について、静電容量の大きさ（容量値）や、時間が考慮されていないので、手つきのような意図しない入力があった場合でも描画情報が消去されてしまうことである。本発明では、ペン先、記入者の指先、記入者の手つきの判定について、記入者の入力を検出した静電容量センサ（この場合、検出静電容量センサ群）の位置の他に、検出した検出静電容量センサ群の数、検出静電容量センサ群の静電容量の大きさ（容量値）、時間も考慮しているので、手つきのような意図しない入力があった場合でも描画情報（この場合、第１描画情報）が消去されてしまうことはない。本発明では、検出静電容量センサ群の容量値と数とに基づいて記入者の手つきを判定した場合であって、手つきによる入力から所定時間内にペン先または指先による次の入力がなく、手つきによる入力が継続している場合に、手つきの領域（この場合、消去対象領域）の描画情報（この場合、消去対象描画情報）を消去する。これにより、本発明によれば、記入者の手つきの有無を確実に判定することができ、描画情報の表示と消去とを正確に行なうことができる。
【図面の簡単な説明】
【００１５】
【図１】本発明の第１実施形態に係る入力表示装置１の構成を示す図である。
【図２】図１の表示部１１の一部を表し、図１の記入者２００の手つき２０２を説明するための図である。
【図３】図１の複数の静電容量センサ１２のうちの一部の静電容量センサ１２を表し、図１の形状判定部４３の出力として、図２の手つき２０２による検出静電容量センサ群１２の容量値の分布図を説明するための図である。
【図４】図１の表示部１１の一部を表し、図１の記入者２００の指先２０３を説明するための図である。
【図５】図１の複数の静電容量センサ１２のうちの一部の静電容量センサ１２を表し、図１の形状判定部４３の出力として、図４の指先２０３による検出静電容量センサ群１２の容量値の分布図を説明するための図である。
【図６】図１の表示部１１の一部を表し、図１の記入者２００が使用するペン先２０１を説明するための図である。
【図７】図１の複数の静電容量センサ１２のうちの一部の静電容量センサ１２を表し、図１の形状判定部４３の出力として、図６のペン先２０１による検出静電容量センサ群１２の容量値の分布図を説明するための図である。
【図８】本発明の第１実施形態に係る入力表示装置１の形状判定部４３の動作を示すフローチャートである。
【図９】本発明の第１実施形態に係る入力表示装置１の描画制御部４４の動作を示すフローチャートである。
【図１０】図９の描画処理（ステップＳ３０）を示すフローチャートである。
【図１１】図９の消去処理（ステップＳ４０）を示すフローチャートである。
【図１２】図９の描画処理（ステップＳ３０）として第１の描画処理を説明するための図であり、図１の記入者２００による入力操作と、図１の形状判定部４３の出力とを示す図である。
【図１３】図９の描画処理（ステップＳ３０）として第１の描画処理を説明するための図であり、図１の表示部１１の表示領域２０に表示される情報を示す図である。
【図１４】図９の消去処理（ステップＳ４０）を説明するための図であり、図１の記入者２００による入力操作と、図１の形状判定部４３の出力とを示す図である。
【図１５】図９の消去処理（ステップＳ４０）を説明するための図であり、図１の表示部１１の表示領域２０に表示される情報を示す図である。
【図１６】図９の消去処理（ステップＳ４０）を説明するための図であり、図１の表示部１１の表示領域２０に表示される情報を示す図である。
【図１７】図９の描画処理（ステップＳ３０）として第２の描画処理を説明するための図であり、図１の記入者２００による入力操作と、図１の形状判定部４３の出力とを示す図である。
【図１８】図９の描画処理（ステップＳ３０）として第２の描画処理を説明するための図であり、図１の表示部１１の表示領域２０に表示される情報を示す図である。
【図１９】図１の記入者２００の手つき２０２の他の例を説明するための図である。
【図２０】図１の記入者２００の手つき２０２の他の例を説明するための図である。
【図２１】本発明の第２実施形態に係る入力表示装置１において、図９の消去処理（ステップＳ４０）を説明するための図であり、図１の記入者２００による入力操作と、図１の形状判定部４３の出力とを示す図である。
【図２２】本発明の第２実施形態に係る入力表示装置１において、図９の消去処理（ステップＳ４０）を説明するための図であり、図１の表示部１１の表示領域２０に表示される情報を示す図である。
【図２３】本発明の第２実施形態に係る入力表示装置１において、図９の消去処理（ステップＳ４０）を説明するための図であり、図１の表示部１１の表示領域２０に表示される情報を示す図である。
【図２４】本発明の第３実施形態に係る入力表示装置１において、図９の消去処理（ステップＳ４０）を説明するための図であり、図１の記入者２００による入力操作と、図１の形状判定部４３の出力とを示す図である。
【図２５】本発明の第３実施形態に係る入力表示装置１において、図９の消去処理（ステップＳ４０）を説明するための図であり、図１の表示部１１の表示領域２０に表示される情報を示す図である。
【図２６】本発明の第３実施形態に係る入力表示装置１において、図９の消去処理（ステップＳ４０）を説明するための図であり、図１の表示部１１の表示領域２０に表示される情報を示す図である。
【発明を実施するための形態】
【００１６】
以下、図面を参照しながら本発明の実施形態について説明する。
【００１７】
［第１実施形態］
図１は、本発明の第１実施形態に係る入力表示装置１の構成を示す図である。入力表示装置１は、表示装置２と、記憶装置３と、制御装置４とを具備している。
【００１８】
表示装置２は、電子黒板やＩＷＢとして使用される。その表示装置２は、表示部１１と、複数の静電容量センサ１２とを備えている。
【００１９】
表示部１１は、液晶ディスプレイ（ＬＣＤ；Liquid Crystal Display）である。その表示部１１は、地面に対して垂直あるいは垂直に近い状態で設置される。または、テーブルのように、地面に対して水平或いは水平に近い状態で設置される。表示部１１は、後述の描画情報を表示するための表示領域２０を有する。
【００２０】
静電容量センサ１２は、座標を形成するように、表示部１１にマトリクス状に配置されている。その静電容量センサ１２は、記入者２００が指示媒体（ペン先または記入者の指先）を用いて表示部１１に対して入力操作を行なったときに、表示部１１に対する記入者２００の入力を検出することができる。
【００２１】
静電容量センサ１２は、例えば表示部１１上に４０９６×２１６０に配置されることにより表示部１１にマトリクス状に配置され、所定距離以下に近接した指示媒体（ペン先または記入者の指先）を検出する。座標としては、表示領域２０の左上の角を（０、０）とし、右下の角を（４０９５、２１５９）として座標が設定され、それぞれの座標に対して静電容量が検出される。
【００２２】
制御装置４は、センサ駆動部４１と、容量変化検知部４２と、形状判定部４３と、描画制御部４４と、アイコン制御部４５と、これらの構成要素を制御するＣＰＵ（図示しない）とを備えている。センサ駆動部４１は、複数の静電容量センサ１２を駆動する。記憶装置３にはコンピュータが実行可能なコンピュータプログラムが格納され、ＣＰＵはそのコンピュータプログラムを読み出して実行する。制御装置４の各構成要素については後述する。
【００２３】
ここで、記憶装置３は、手書きされた情報、表示方向、グラフ情報等の描画情報を記憶する描画記憶領域と、一時的に描画情報にオーバーラップしてメニューを表示するメニュー操作処理に関する情報を記憶するメニュー記憶領域とを有している。メニュー記憶領域は描画記憶領域とは別レイヤーである。そして、描画制御部４４は、自身による描画処理に基づいて、表示部１１に表示する内容を記憶している記憶装置３の描画記憶領域の内容を更新し、メニュー操作処理に基づいて、表示部１１に表示する内容を記憶している記憶装置３のメニュー記憶領域の内容を更新する。
【００２４】
メニューは、表示部１１の表示領域２０以外の表示領域（図示しない）に表示される。メニューの表示領域は、例えば、表示部１１の左端の領域に各種アイコンにより表示される。アイコン制御部４５は、メニュー操作処理において、記入者２００が各種アイコンのうちの選択されたアイコンを手でタッチしたときに、そのアイコンに応じた処理を行なう。本実施形態では、メニュー操作処理の説明については省略する。
【００２５】
本発明の第１実施形態に係る入力表示装置１の動作について説明する。
【００２６】
まず、本発明の第１実施形態に係る入力表示装置１の動作（入力表示処理）として、容量変化検知部４２、形状判定部４３の動作について説明する。
【００２７】
いま、記入者２００が、指示媒体（ペン先または記入者の指先）により、電子黒板やＩＷＢとして使用される表示部１１に対して、入力操作を行なう。このとき、容量変化検知部４２は、複数の静電容量センサ１２のうちの、記入者２００の入力を検出した検出静電容量センサ群１２の容量値、数、位置を表す情報を出力する。
【００２８】
形状判定部４３は、検出静電容量センサ群１２の容量値と数とに基づいて、検出静電容量センサ群１２の位置により形成される形状としてペン先、記入者２００の指先、記入者２００の手つきを判定し、検出静電容量センサ群１２に対する判定結果を出力する。ここで、手つきとは、表示部１１に対して手の腹などが触れる現象である。
【００２９】
図２は、図１の表示部１１の一部を表し、図１の記入者２００の手つき２０２を説明するための図である。図３は、図１の複数の静電容量センサ１２のうちの一部の静電容量センサ１２を表し、図１の形状判定部４３の出力として、図２の手つき２０２による検出静電容量センサ群１２の容量値の分布図を説明するための図である。以下、文中及び図面において、静電容量センサ１２で検出される容量値は相対値を表し、単位の表記を省略する。
【００３０】
図２に示されるように、記入者２００（図１）が、表示部１１に対して、指示媒体としてペン先２０１により入力操作を行なう際に、表示部１１に対して、ペン先２０１よりも先に、手つき２０２をしたものとする。この場合、図３に示されるように、検出静電容量センサ群１２の中に、その容量値が第１設定容量値「３０００」以上である静電容量センサ１２の数が設定センサ数「１０」以上存在する。
【００３１】
図４は、図１の表示部１１の一部を表し、図１の記入者２００の指先２０３を説明するための図である。図５は、図１の複数の静電容量センサ１２のうちの一部の静電容量センサ１２を表し、図１の形状判定部４３の出力として、図４の指先２０３による検出静電容量センサ群１２の容量値の分布図を説明するための図である。
【００３２】
図４に示されるように、記入者２００（図１）が、表示部１１に対して、指示媒体として指先２０３により入力操作を行なったものとする。この場合、図５に示されるように、検出静電容量センサ群１２の中に、その容量値が第１設定容量値「３０００」以上である静電容量センサ１２の数が設定センサ数「１０」未満存在する。
【００３３】
図６は、図１の表示部１１の一部を表し、図１の記入者２００が使用するペン先２０１を説明するための図である。図７は、図１の複数の静電容量センサ１２のうちの一部の静電容量センサ１２を表し、図１の形状判定部４３の出力として、図６のペン先２０１による検出静電容量センサ群１２の容量値の分布図を説明するための図である。
【００３４】
図６に示されるように、記入者２００（図１）が、表示部１１に対して、指示媒体としてペン先２０１により入力操作を行なう際に、表示部１１に対して、手つき２０２よりも先に、ペン先２０１が触れたものとする。この場合、図７に示されるように、検出静電容量センサ群１２の中に、その容量値が第１設定容量値「３０００」未満であるが、最も大きい容量値が第１設定容量値「３０００」よりも小さい第２設定容量値「５００」以上である静電容量センサ１２が存在する。
【００３５】
図８は、本発明の第１実施形態に係る入力表示装置１の形状判定部４３の動作を示すフローチャートである。
【００３６】
記入者２００（図１）が表示部１１（図１）に対して入力操作を行なったとき、容量変化検知部４２（図１）は、複数の静電容量センサ１２（図１）のうちの、記入者２００（図１）の入力を検出した検出静電容量センサ群１２（図１）の容量値、数、位置を出力する。このとき、図８に示されるように、形状判定部４３は、その検出静電容量センサ群１２（図１）の容量値、数、位置を表す情報を受け取る（ステップＳ１１）。
【００３７】
ここで、図８に示されるように、形状判定部４３は、検出静電容量センサ群１２（図１）の中に、その容量値が第１設定容量値「３０００」以上である静電容量センサ１２が存在するか否かを調べる（ステップＳ１２）。また、形状判定部４３は、検出静電容量センサ群１２（図１）の中に、その容量値が第１設定容量値「３０００」以上である静電容量センサ１２が存在する場合（ステップＳ１２−Ｙｅｓ）、その数が設定センサ数「１０」以上存在するか否かを調べる（ステップＳ１３）。また、形状判定部４３は、検出静電容量センサ群１２（図１）の中に、その容量値が第１設定容量値「３０００」以上である静電容量センサ１２が存在しない場合（ステップＳ１２−Ｎｏ）、検出静電容量センサ群１２（図１）の中に、最も大きい容量値が第２設定容量値「５００」以上である静電容量センサ１２が存在するか否かを調べる（ステップＳ１６）。
【００３８】
図３に示されるように、検出静電容量センサ群１２の中に、その容量値が第１設定容量値「３０００」以上である静電容量センサ１２の数が設定センサ数「１０」以上存在する（図８のステップＳ１２−Ｙｅｓ、Ｓ１３−Ｙｅｓ）。この場合、図８に示されるように、形状判定部４３は、検出静電容量センサ群１２（図３）に対して、手つき２０２（図２）を表す判定結果を出力する（ステップＳ１４）。
【００３９】
図５に示されるように、検出静電容量センサ群１２の中に、その容量値が第１設定容量値「３０００」以上である静電容量センサ１２の数が設定センサ数「１０」未満存在する（図８のステップＳ１２−Ｙｅｓ、Ｓ１３−Ｎｏ）。この場合、図８に示されるように、形状判定部４３は、検出静電容量センサ群１２（図５）に対して、指先２０３（図４）を表す判定結果を出力する（ステップＳ１５）。
【００４０】
図７に示されるように、検出静電容量センサ群１２の中に、その容量値が第１設定容量値「３０００」未満であるが、最も大きい容量値が第２設定容量値「５００」以上である静電容量センサ１２が存在する（図８のステップＳ１２−Ｎｏ、Ｓ１６−Ｙｅｓ）。この場合、図８に示されるように、形状判定部４３は、検出静電容量センサ群１２（図７）に対して、ペン先２０１（図６）を表す判定結果を出力する（ステップＳ１７）。
【００４１】
検出静電容量センサ群１２の容量値が第１設定容量値「３０００」未満であり、最も大きい容量値も第２設定容量値「５００」未満である（図８のステップＳ１２−Ｎｏ、Ｓ１６−Ｎｏ）。この場合、形状判定部４３は、検出静電容量センサ群１２に対して、ペン先２０１（図６）、指先２０３（図４）、手つき２０２（図２）のいずれも該当しないことを表す判定結果を出力する。
【００４２】
次に、本発明の第１実施形態に係る入力表示装置１の動作（入力表示処理）として、図１の描画制御部４４の動作について説明する。
【００４３】
図９は、本発明の第１実施形態に係る入力表示装置１の描画制御部４４の動作を示すフローチャートである。図１０は、図９の描画処理（ステップＳ３０）を示すフローチャートである。図１１は、図９の消去処理（ステップＳ４０）を示すフローチャートである。
【００４４】
図９に示されるように、描画制御部４４は、記入者２００（図１）が表示部１１（図１）に対して入力操作を行なったとき、形状判定部４３からの検出静電容量センサ群１２（図１）に対する判定結果を受け取る（ステップＳ２１）。
【００４５】
図９に示されるように、検出静電容量センサ群１２（図１）に対する判定結果がペン先２０１（図６）、指先２０３（図４）、手つき２０２（図２）のいずれも表していない場合（ステップＳ２２−Ｎｏ、Ｓ２３−Ｎｏ）、描画制御部４４は、次の判定結果を待つ。
【００４６】
図９に示されるように、検出静電容量センサ群１２（図１）に対する判定結果がペン先２０１（図６）または指先２０３（図４）を表している場合（ステップＳ２２−Ｎｏ、Ｓ２３−Ｙｅｓ）、描画制御部４４は、描画処理を行なう（ステップＳ３０）。
【００４７】
描画処理（ステップＳ３０）において、図１０に示されるように、描画制御部４４は、検出静電容量センサ群１２（図５、７）の位置に基づいて、表示部１１（図１）に対して記入者２００（図１）により入力された情報を表す描画情報を生成する（ステップＳ３１）。描画制御部４４は、表示部１１（図１）の表示領域２０（図１）のうちの、検出静電容量センサ群１２（図５、７）の位置を含む記入表示領域を設定する（ステップＳ３２）。描画制御部４４は、記入表示領域に描画情報を表示する（ステップＳ３３）。その後、描画制御部４４は、次の判定結果を待つ。
【００４８】
図９に示されるように、検出静電容量センサ群１２（図１）に対する判定結果が手つき２０２（図２）を表しているときに（ステップＳ２２−Ｙｅｓ）、描画制御部４４は、所定時間内に、検出静電容量センサ群１２（図１）に対する判定結果として、ペン先２０１（図６）または指先２０３（図４）を表す判定結果を形状判定部４３から受け取っていない（ステップＳ２４−Ｎｏ）。すなわち、手つき２０２（図２）による記入者２００（図１）の入力から、所定時間内に、ペン先２０１（図６）または指先２０３（図４）による入力が記入者２００（図１）により行なわれていない。このとき、描画制御部４４は、判定結果として手つき２０２（図２）による記入者２００（図１）の入力が継続しているか否かを確認する（ステップＳ２５）。
【００４９】
図９に示されるように、検出静電容量センサ群１２（図１）に対する判定結果が手つき２０２（図２）を表していない。すなわち、判定結果として手つき２０２（図２）による記入者２００（図１）の入力が継続していない（ステップＳ２５−Ｎｏ）。この場合、描画制御部４４は、次の判定結果を待つ。
【００５０】
図９に示されるように、検出静電容量センサ群１２（図１）に対する判定結果が手つき２０２（図２）を表している。すなわち、判定結果として手つき２０２（図２）による記入者２００（図１）の入力が継続している（ステップＳ２５−Ｙｅｓ）。この場合、描画制御部４４は、消去処理を行なう（ステップＳ４０）。
【００５１】
消去処理（ステップＳ３０）において、図１１に示されるように、描画制御部４４は、検出静電容量センサ群１２（図３）の位置を含む領域を消去対象領域として設定する（ステップＳ４１）。ここで、描画制御部４４は、消去対象領域が記入表示領域に近接または重複しているか否かを判定する（ステップＳ４２）。
【００５２】
図１１に示されるように、消去対象領域が記入表示領域に近接または重複していない場合（ステップＳ４２−Ｎｏ）、描画制御部４４は、消去処理（ステップＳ４０）を終了し、次の判定結果を待つ。
【００５３】
図１１に示されるように、消去対象領域が記入表示領域に近接または重複している場合（ステップＳ４２−Ｙｅｓ）、描画制御部４４は、記入表示領域に表示されている描画情報のうちの、消去対象領域に表示された消去対象描画情報を消去する（ステップＳ４３）。その後、描画制御部４４は、次の判定結果を待つ。
【００５４】
一方、図９に示されるように、検出静電容量センサ群１２（図１）に対する判定結果が手つき２０２（図２）を表しているときに（ステップＳ２２−Ｙｅｓ）、描画制御部４４は、所定時間内に、検出静電容量センサ群１２（図１）に対する判定結果として、ペン先２０１（図６）または指先２０３（図４）を表す判定結果を形状判定部４３から受け取る（ステップＳ２４−Ｙｅｓ）。すなわち、手つき２０２（図２）による記入者２００（図１）の入力から、所定時間内に、判定結果としてペン先２０１（図６）または指先２０３（図４）による入力が記入者２００（図１）により行なわれている。この場合、描画制御部４４は、上述の描画処理（ステップＳ３０）を行なう。その後、描画制御部４４は、次の判定結果を待つ。
【００５５】
ここで、本発明の第１実施形態に係る入力表示装置１の動作（入力表示処理）について、具体例をあげて説明する。
【００５６】
まず、描画処理（ステップＳ３０）が行なわれる場合について、具体例をあげて説明する。
【００５７】
図１２、１３は、図９の描画処理（ステップＳ３０）として第１の描画処理を説明するための図である。具体的には、図１２は、図１の記入者２００による入力操作と、図１の形状判定部４３の出力とを示す図であり、図１３は、図１の表示部１１の表示領域２０に表示される情報を示す図である。
【００５８】
図１２に示されるように、判定結果としてペン先２０１（または図４の指先２０３）による第１の入力が記入者２００（図１）により行なわれ、記入者２００（図１）の第１の入力を検出した検出静電容量センサ群１２を第１検出静電容量センサ群１２ａとする（図９のステップＳ２１、Ｓ２２−Ｎｏ、Ｓ２３）。
【００５９】
この場合、図１３に示されるように、描画制御部４４（図１）は、第１検出静電容量センサ群１２ａ（図１２）の位置に基づいて、上述の描画情報として第１描画情報１００「ＡＢＣＤＥ」を生成する。描画制御部４４（図１）は、表示部１１（図１）の表示領域２０（図１）のうちの、第１検出静電容量センサ群１２ａ（図１２）の位置を含む上述の記入表示領域である第１記入表示領域２１を設定する。このとき、描画制御部４４（図１）は、第１記入表示領域２１の第１描画情報１００「ＡＢＣＤＥ」に対して、表示部１１（図１）に表示する内容として、Ｘ座標の最小値「ＲｅｃＭｉｎＸ」、最大値「ＲｅｃＭａｘＸ」、Ｙ座標の最小値「ＲｅｃＭｉｎＹ」、最大値「ＲｅｃＭａｘＹ」を、記憶装置３（図１）の描画記憶領域に記憶させる。描画制御部４４（図１）は、第１記入表示領域２１に第１描画情報１００「ＡＢＣＤＥ」を表示する（図９のステップＳ３０、図１０のステップＳ３１〜Ｓ３３）。
【００６０】
図１４〜１６は、図９の消去処理（ステップＳ４０）を説明するための図である。具体的には、図１４は、図１の記入者２００による入力操作と、図１の形状判定部４３の出力とを示す図であり、図１５、１６は、図１の表示部１１の表示領域２０に表示される情報を示す図である。
【００６１】
図１４に示されるように、判定結果として手つき２０２による第２の入力が記入者２００（図１）により行なわれ、記入者２００（図１）の第２の入力を検出した検出静電容量センサ群１２を第２検出静電容量センサ群１２ｂとする。このときに、手つき２０２による記入者２００（図１）の第２の入力から、所定時間内に、ペン先２０１（図６）または指先２０３（図４）による第３の入力が記入者２００（図１）により行なわれずに、判定結果として手つき２０２による記入者２００（図１）の第２の入力が継続しているものとする（図９のステップＳ２１、Ｓ２２−Ｙｅｓ、Ｓ２４−Ｎｏ、Ｓ２５−Ｙｅｓ）。
【００６２】
この場合、図１５に示されるように、描画制御部４４（図１）は、第２検出静電容量センサ群１２ｂ（図１４）の位置を含む領域を消去対象領域２２として設定する。このとき、描画制御部４４（図１）は、第１記入表示領域２１の第１描画情報１００「ＡＢＣＤＥ」に対して、表示部１１（図１）に表示する内容を記憶している記憶装置３（図１）の描画記憶領域からＸ座標の最小値「ＲｅｃＭｉｎＸ」、最大値「ＲｅｃＭａｘＸ」、Ｙ座標の最小値「ＲｅｃＭｉｎＹ」、最大値「ＲｅｃＭａｘＹ」を検出する。また、描画制御部４４（図１）は、消去対象領域２２に対して、Ｘ座標の最小値「ＭｉｎＸ」、最大値「ＭａｘＸ」、Ｙ座標の最小値「ＭｉｎＹ」、最大値「ＭａｘＹ」を検出する（図９のステップＳ４０、図１１のステップＳ４１）。
【００６３】
次に、図１５に示されるように、描画制御部４４（図１）は、消去対象領域２２が第１記入表示領域２１に近接または重複しているか否かを判定する。例えば、ＲｅｃＭｉｎＸ≦ＭｉｎＸ≦ＲｅｃＭａｘＸ、かつ、ＲｅｃＭｉｎＹ≦ＭｉｎＹ≦ＲｅｃＭａｘＹ、または、ＲｅｃＭｉｎＸ≦ＭａｘＸ≦ＲｅｃＭａｘＸ、かつ、ＲｅｃＭｉｎＹ≦ＭａｘＹ≦ＲｅｃＭａｘＹであれば、消去対象領域２２と第１記入表示領域２１とは重なりあう。この場合、図１５、１６に示されるように、描画制御部４４（図１）は、第１記入表示領域２１に表示されている第１描画情報１００「ＡＢＣＤＥ」のうちの、消去対象領域２２に表示された描画情報である消去対象描画情報１０１「ＤＥ」を消去する（図９のステップＳ４０、図１１のステップＳ４２−Ｙｅｓ、Ｓ４３）。
【００６４】
図１７、１８は、図９の描画処理（ステップＳ３０）として第２の描画処理を説明するための図である。具体的には、図１７は、図１の記入者２００による入力操作と、図１の形状判定部４３の出力とを示す図であり、図１８は、図１の表示部１１の表示領域２０に表示される情報を示す図である。
【００６５】
図１７に示されるように、判定結果としてペン先２０１（または図４の指先２０３）による第３の入力が記入者２００（図１）により行なわれ、記入者２００（図１）の第３の入力を検出した検出静電容量センサ群１２を第３検出静電容量センサ群１２ｃとする。このときに、記入者２００（図１）の第３の入力は、手つき２０２による記入者２００（図１）の第２の入力から、所定時間内に行なわれている（図９のステップＳ２１、Ｓ２２−Ｙｅｓ、Ｓ２４−Ｙｅｓ）。
【００６６】
この場合、図１８に示されるように、描画制御部４４（図１）は、第３検出静電容量センサ群１２ｃ（図１７）の位置に基づいて、上述の描画情報として第２描画情報１０２「ＦＧ」を生成する。描画制御部４４（図１）は、表示部１１（図１）の表示領域２０（図１）のうちの、第１検出静電容量センサ群１２ｃ（図１７）の位置を含む上述の記入表示領域である第２記入表示領域２３を設定する。描画制御部４４（図１）は、第２記入表示領域２３に第２描画情報１０２「ＦＧ」を表示する（図９のステップＳ３０、図１０のステップＳ３１〜Ｓ３３）。
【００６７】
以上の説明により、本発明の第１実施形態に係る入力表示装置１では、表示部１１と、座標を形成するように表示部１１に複数配置された静電容量センサ１２と、複数の静電容量センサ１２のうちの、記入者２００の入力を検出した検出静電容量センサ群１２の容量値、数、位置を表す情報を出力する容量変化検知部４２と、検出静電容量センサ群１２の容量値と数とに基づいて、検出静電容量センサ群１２の位置により形成される形状としてペン先２０１、記入者２００の指先２０３、記入者２００の手つき２０２を判定し、検出静電容量センサ群１２に対する判定結果を出力する形状判定部４３と、判定結果としてペン先２０１または指先２０３による第１の入力が記入者２００により行なわれ、記入者２００の第１の入力を検出した検出静電容量センサ群１２を第１検出静電容量センサ群１２ａとした場合、第１検出静電容量センサ群１２ａの位置に基づいて、表示部１１に対して記入者２００により入力された情報を表す第１描画情報１００「ＡＢＣＤＥ」を生成し、表示部１１の表示領域２０のうちの、第１検出静電容量センサ群１２ａの位置を含む領域である第１記入表示領域２１に表示する描画制御部４４と、を具備している。判定結果として手つき２０２による第２の入力が記入者２００により行なわれ、記入者２００の第２の入力を検出した検出静電容量センサ群１２を第２検出静電容量センサ群１２ｂとしたときに、手つき２０２による記入者２００の第２の入力から、所定時間内に、ペン先２０１または指先２０３による第３の入力が記入者２００により行なわれずに、判定結果として手つき２０２による記入者２００の第２の入力が継続している場合、描画制御部４４は、第１記入表示領域２１に表示されている第１描画情報１００「ＡＢＣＤＥ」のうちの、第２検出静電容量センサ群１２ｂの位置を含む領域である消去対象領域２２に表示された消去対象描画情報１０１「ＤＥ」を消去する。
【００６８】
このように、本発明の第１実施形態に係る入力表示装置１では、ペン先２０１、記入者２００の指先２０３、記入者２００の手つき２０２の判定について、静電容量の大きさ（容量値）や、時間を考慮している。特許文献１、２の問題点は、ペン先、記入者の指先、記入者の手つきの判定について、静電容量の大きさ（容量値）や、時間が考慮されていないので、手つきのような意図しない入力があった場合でも描画情報が消去されてしまうことである。本発明の第１実施形態に係る入力表示装置１では、ペン先２０１、記入者２００の指先２０３、記入者２００の手つき２０２の判定について、記入者２００の入力を検出した静電容量センサ１２（この場合、検出静電容量センサ群１２）の位置の他に、検出した検出静電容量センサ群１２の数、検出静電容量センサ群１２の静電容量の大きさ（容量値）、時間も考慮しているので、手つき２０２のような意図しない入力があった場合でも描画情報（この場合、第１描画情報１００「ＡＢＣＤＥ」）が消去されてしまうことはない。本発明の第１実施形態に係る入力表示装置１では、検出静電容量センサ群１２の容量値と数とに基づいて記入者２００の手つき２０２を判定した場合であって、手つき２０２による入力から所定時間内にペン先２０１または指先２０３による次の入力がなく、手つき２０２による入力が継続している場合に、手つき２０２の領域（この場合、消去対象領域２２）の描画情報（この場合、消去対象描画情報１０１「ＤＥ」）を消去する。これにより、本発明の第１実施形態に係る入力表示装置１によれば、記入者２００の手つき２０２の有無を確実に判定することができ、描画情報の表示と消去とを正確に行なうことができる。
【００６９】
また、本発明の第１実施形態に係る入力表示装置１では、判定結果としてペン先２０１または指先２０３による第３の入力が記入者２００により行なわれ、記入者２００の第３の入力を検出した検出静電容量センサ群１２を第３検出静電容量センサ群１２ｃとしたときに、記入者２００の第３の入力は、手つき２０２による記入者２００の第２の入力から所定時間内に行なわれている場合、描画制御部４４は、第３検出静電容量センサ群１２ｃの位置に基づいて、表示部１１に対して記入者２００により入力された情報を表す第２描画情報１０２「ＦＧ」を生成し、表示部１１の表示領域２０のうちの、第３検出静電容量センサ群１２ｃの位置を含む領域である第２記入表示領域２３に表示する。
【００７０】
このように、本発明の第１実施形態に係る入力表示装置１では、検出静電容量センサ群１２の容量値と数とに基づいて記入者２００の手つき２０２を判定した場合であっても、手つき２０２による入力から所定時間内にペン先２０１または指先２０３による次の入力があった場合、その入力した領域（この場合、第２記入表示領域２３）に次の描画情報（この場合、第２描画情報１０２「ＦＧ」）を表示する。言い換えれば、本発明の第１実施形態に係る入力表示装置１では、手つき２０２による入力があっても、所定時間内にペン先２０１または指先２０３による次の入力があれば、手つきの領域の描画情報を消去しない。したがって、本発明の第１実施形態に係る入力表示装置１によれば、記入者２００の手つき２０２の有無を確実に判定することができ、描画情報の表示と消去とを正確に行なうことができる。
【００７１】
また、本発明の第１実施形態に係る入力表示装置１では、検出静電容量センサ群１２に対する判定結果は、検出静電容量センサ群１２の中に、その容量値が第１設定容量値「３０００」以上である静電容量センサ１２の数が設定センサ数「１０」以上存在する場合、手つき２０２を表し、検出静電容量センサ群１２の中に、その容量値が第１設定容量値「３０００」以上である静電容量センサ１２の数が設定センサ数「１０」未満存在する場合、指先２０３を表し、検出静電容量センサ群１２の中に、その容量値が第１設定容量値「３０００」未満であるが、最も大きい容量値が第１設定容量値「３０００」よりも小さい第２設定容量値「５００」以上である静電容量センサ１２が存在する場合、ペン先２０１を表す。
【００７２】
このように、本発明の第１実施形態に係る入力表示装置１では、上述のように、ペン先２０１、記入者２００の指先２０３、記入者２００の手つき２０２の判定について、記入者２００の入力を検出した静電容量センサ１２（この場合、検出静電容量センサ群１２）の数、検出静電容量センサ群１２の静電容量の大きさ（容量値）を考慮しているので、記入者２００の手つき２０２の有無を確実に判定することができる。
【００７３】
なお、消去処理（ステップＳ４０）において、記入者２００（図１）がペンを持ったまま、手つき２０２（図１４、１５）を行なっているが、これに限定されない。図１９、２０は、図１の記入者２００の手つき２０２の他の例を説明するための図である。
【００７４】
図１９に示されるように、第２検出静電容量センサ群１２ｂ（図１４）に対する判定結果が手つき２０２（図１４）を表している場合、第２検出静電容量センサ群１２ｂ（図１４）の位置を含む消去対象領域２２は、記入者２００（図１）が手のひら、または、手の甲でタッチしたときの外接矩形領域である。
【００７５】
図２０に示されるように、第２検出静電容量センサ群１２ｂ（図１４）に対する判定結果が手つき２０２（図１４）を表している場合、第２検出静電容量センサ群１２ｂ（図１４）の位置を含む消去対象領域２２は、記入者２００（図１）が複数本の指先でタッチしたときの外接矩形領域である。
【００７６】
［第２実施形態］
図２１〜２３は、本発明の第２実施形態に係る入力表示装置１において、図９の消去処理（ステップＳ４０）を説明するための図である。具体的には、図２１は、図１の記入者２００による入力操作と、図１の形状判定部４３の出力とを示す図であり、図２２、２３は、図１の表示部１１の表示領域２０に表示される情報を示す図である。第２実施形態では第１実施形態からの変更点のみ説明する。
【００７７】
図２１に示されるように、判定結果として手つき２０２による第２、第３の入力が記入者２００（図１）により行なわれ、前述のように、記入者２００（図１）の第２、第３の入力を検出した検出静電容量センサ群１２をそれぞれ第２、第３検出静電容量センサ群１２ｂ、１２ｃとする。このときに、記入者２００（図１）の第２、第３の入力は、連続して行なわれる移動操作であるものとする。
【００７８】
この場合、図２２に示されるように、描画制御部４４（図１）は、第２検出静電容量センサ群１２ｂ（図２１）の位置から第３検出静電容量センサ群１２ｃ（図２１）の位置までの領域を移動操作消去対象領域２４として設定する。
【００７９】
次に、図２２に示されるように、描画制御部４４（図１）は、移動操作消去対象領域２４が第１記入表示領域２１に近接または重複しているか否かを判定する。例えば、移動操作消去対象領域２４と第１記入表示領域２１とは重なりあう。この場合、図２２、２３に示されるように、描画制御部４４（図１）は、第１記入表示領域２１に表示されている第１描画情報１００「ＡＢＣＤＥ」のうちの、移動操作消去対象領域２４に表示された描画情報である移動操作消去対象描画情報１０３「ＣＤＥ」を消去する。
【００８０】
以上の説明により、本発明の第２実施形態に係る入力表示装置１では、判定結果として手つき２０２による記入者２００の第２、第３の入力が記入者２００により行なわれ、記入者２００の第３の入力を検出した検出静電容量センサ群１２を第３検出静電容量センサ群１２ｃとしたときに、記入者２００の第２、第３の入力は連続して行なわれる移動操作である場合、描画制御部４４は、第１記入表示領域２１に表示されている第１描画情報１００「ＡＢＣＤＥ」のうちの、第２検出静電容量センサ群１２ｂの位置から第３検出静電容量センサ群１２ｃの位置までの領域である移動操作消去対象領域２４に表示された移動操作消去対象描画情報１０３「ＣＤＥ」を消去する。
【００８１】
このように、本発明の第２実施形態に係る入力表示装置１では、記入者２００が移動しながら手つき２０２による入力を行なった場合、手つき２０２の領域（この場合、移動操作消去対象領域２４）の描画情報（この場合、移動操作消去対象描画情報１０３「ＣＤＥ」）を消去する。これにより、本発明の第２実施形態に係る入力表示装置１では、記入者２００は、簡単な移動操作で、描画情報の消去を行なうことができる。
【００８２】
［第３実施形態］
図２４〜２６は、本発明の第３実施形態に係る入力表示装置１において、図９の消去処理（ステップＳ４０）を説明するための図である。具体的には、図２４は、図１の記入者２００による入力操作と、図１の形状判定部４３の出力とを示す図であり、図２５、２６は、図１の表示部１１の表示領域２０に表示される情報を示す図である。第３実施形態では第１、第２実施形態からの変更点のみ説明する。
【００８３】
図２４に示されるように、判定結果として手つき２０２による第２、第３の入力が記入者２００（図１）により行なわれ、前述のように、記入者２００（図１）の第２、第３の入力を検出した検出静電容量センサ群１２をそれぞれ第２、第３検出静電容量センサ群１２ｂ、１２ｃとする。このときに、記入者２００（図１）の第２、第３の入力は、所定時間毎に行なわれる継続操作であるものとする。
【００８４】
この場合、図２５に示されるように、描画制御部４４（図１）は、第２検出静電容量センサ群１２ｂ（図２４）の位置を含む領域、第３検出静電容量センサ群１２ｃ（図２４）の位置を含む領域を、それぞれ、第１消去対象領域２５ａ、第２消去対象領域２５ｂとして設定する。
【００８５】
次に、図２５に示されるように、描画制御部４４（図１）は、第１消去対象領域２５ａと第２消去対象領域２５ｂとが第１記入表示領域２１に近接または重複しているか否かを判定する。例えば、第１消去対象領域２５ａ、第２消去対象領域２５ｂは第１記入表示領域２１と重なりあう。この場合、図２５、２６に示されるように、描画制御部４４（図１）は、第１記入表示領域２１に表示されている第１描画情報１００「ＡＢＣＤＥ」のうちの、第１消去対象領域２５ａに表示された描画情報である第１消去対象描画情報１０４ａ「Ｅ」と、第２消去対象領域２５ｂに表示された描画情報である第２消去対象描画情報１０４ｂ「ＡＢ」とを消去する。
【００８６】
以上の説明により、本発明の第３実施形態に係る入力表示装置１では、判定結果として手つき２０２による記入者２００の第２、第３の入力が記入者２００により行なわれ、記入者２００の第３の入力を検出した検出静電容量センサ群１２を第３検出静電容量センサ群１２ｃとしたときに、記入者２００の第２、第３の入力は所定時間毎に行なわれる継続操作である場合、描画制御部４４は、第１記入表示領域２１に表示されている第１描画情報１００「ＡＢＣＤＥ」のうちの、第２検出静電容量センサ群１２ｂの位置を含む領域である第１消去対象領域２５ａに表示された第１消去対象描画情報１０４ａ「Ｅ」と、第３検出静電容量センサ群１２ｃの位置を含む領域である第２消去対象領域２５ｂに表示された第２消去対象描画情報１０４ｂ「ＡＢ」とを消去する。
【００８７】
このように、本発明の第３実施形態に係る入力表示装置１では、記入者２００が所定時間毎に手つき２０２による入力を行なった場合、手つき２０２の領域（この場合、第１消去対象領域２５ａ、第２消去対象領域２５ｂ）の描画情報（この場合、第１消去対象描画情報１０４ａ「Ｅ」、第２消去対象描画情報１０４ｂ「ＡＢ」）を消去する。これにより、本発明の第３実施形態に係る入力表示装置１では、記入者２００は、簡単な継続操作で、描画情報の消去を行なうことができる。
【００８８】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００８９】
１  …  入力表示装置
２  …  表示装置
３  …  記憶装置
４  …  制御装置
１１  …  表示部（液晶パネル）
１２  …  静電容量センサ
１２ａ  …  第１検出静電容量センサ群
１２ｂ  …  第２検出静電容量センサ群
１２ｃ  …  第３検出静電容量センサ群
２０  …  表示領域
２１  …  記入表示領域（第１記入表示領域）
２２  …  消去対象領域
２３  …  第２記入表示領域
２４  …  移動操作消去対象領域
２５ａ  …  第１消去対象領域
２５ｂ  …  第２消去対象領域
４１  …  センサ駆動部
４２  …  容量変化検知部
４３  …  形状判定部
４４  …  描画制御部
４５  …  アイコン制御部
１００  …  描画情報（第１描画情報）
１０１  …  消去対象描画情報
１０２  …  第２描画情報
１０３  …  移動操作消去対象描画情報
１０４ａ  …  第１消去対象描画情報
１０４ｂ  …  第２消去対象描画情報
２００  …  記入者
２０１  …  ペン先
２０２  …  手つき
２０３  …  指先
【図１】
2019061728.tif 000003
【図２】
2019061728.tif 000004
【図３】
2019061728.tif 000005
【図４】
2019061728.tif 000006
【図５】
2019061728.tif 000007
【図６】
2019061728.tif 000008
【図７】
2019061728.tif 000009
【図８】
2019061728.tif 000010
【図９】
2019061728.tif 000011
【図１０】
2019061728.tif 000012
【図１１】
2019061728.tif 000013
【図１２】
2019061728.tif 000014
【図１３】
2019061728.tif 000015
【図１４】
2019061728.tif 000016
【図１５】
2019061728.tif 000017
【図１６】
2019061728.tif 000018
【図１７】
2019061728.tif 000019
【図１８】
2019061728.tif 000020
【図１９】
2019061728.tif 000021
【図２０】
2019061728.tif 000022
【図２１】
2019061728.tif 000023
【図２２】
2019061728.tif 000024
【図２３】
2019061728.tif 000025
【図２４】
2019061728.tif 000026
【図２５】
2019061728.tif 000027
【図２６】
2019061728.tif 000028